(57)【要約】【目的】タイヤの側面に装着して用いる広告プレートであって、強い風に曝されても容易に脱落しない広告プレートを得る。【構成】展開状態では平板状をなすもので、自動車用タイヤの側面に沿う広告板部と、この広告板部からタイヤの略径方向に延びる複数の径方向舌片と、各径方向舌片の先端部から、該径方向舌片と略直交する方向に延びる輪状部作成舌片と、各輪状部作成舌片の両端部に形成された、該輪状部作成舌片を輪状に掛け止める掛止部とを有し、輪状部作成舌片を掛止部を用いて輪状にした状態で、該輪状部作成舌片の全部及び径方向舌片の先端一部をタイヤの中心開口からタイヤ内に挿入して用いるタイヤ側面装着広告プレート。【選択図】      図２
2005007903.tif 000002
【特許請求の範囲】
【請求項１】
自動車用タイヤの側面に沿う広告板部と、
この広告板部からタイヤの略径方向に延びる複数の径方向舌片と、
各径方向舌片の先端部から、該径方向舌片と略直交する方向に延びる輪状部作成舌片と、
各輪状部作成舌片の長さ方向の両端部に形成された、該輪状部作成舌片を輪状に掛け止める掛止部とを有し、
上記輪状部作成舌片を掛止部を用いて輪状にした状態で、該輪状部作成舌片の全部及び径方向舌片の先端一部をタイヤの中心開口からタイヤ内に挿入することを特徴とするタイヤ側面装着広告プレート。
【請求項２】
請求項１記載のタイヤ側面装着広告プレートにおいて、径方向舌片と輪状部作成舌片は全体としてＴ字状をなしているタイヤ側面装着広告プレート。
【請求項３】
請求項１または２記載のタイヤ側面装着広告プレートにおいて、上記掛止部は、輪状部作成舌片の両端部に、該輪状部作成舌片の長手方向と直交する方向に向けて互いに反対方向から入れたスリットであるタイヤ側面装着広告プレート。
【発明の詳細な説明】
【０００１】
【技術分野】
本発明は、自動車の販売用タイヤ側面に、その中心開口を塞ぐ形で装着して用いる広告プレートに関する。
【０００２】
【従来技術とその問題点】
この種の広告プレートは、本出願人その他によって各種の着想が提案され、相応の広告効果を上げている。ところが、屋外に置かれることから、強い風によって脱落してしまうおそれがあった。また、異径のタイヤに広く共通に用いることができる広告プレートが望まれている。
【０００３】
【発明の目的】
本発明は、タイヤの側面に装着して用いる広告プレートであって、強い風に曝されても容易に脱落しない広告プレートを得ることを目的とする。また本発明は、大小の異径タイヤにより広く適用できる広告プレートを得ることを目的とする。
【０００４】
【発明の概要】
本発明は、従来のこの種の広告プレートが容易に脱落してしまう原因は、展開状態でも使用状態でも略平板状をなしているため、風等によって離脱力がかかったとき容易に変形してしまうからであるとの結論に達して本発明を完成したものである。
【０００５】
すなわち、本発明によるタイヤ側面装着広告プレートは、展開状態では平板状をなすもので、自動車用タイヤの側面に沿う広告板部と、この広告板部からタイヤの略径方向に延びる複数の径方向舌片と、各径方向舌片の先端部から、該径方向舌片と略直交する方向に延びる輪状部作成舌片と、各輪状部作成舌片の両端部に形成された、該輪状部作成舌片を輪状に掛け止める掛止部とを有し、輪状部作成舌片を掛止部を用いて輪状にした状態で、該輪状部作成舌片の全部及び径方向舌片の先端一部をタイヤの中心開口からタイヤ内に挿入することを特徴としている。
このように輪状部作成舌片を輪状に形成すると、容易に変形しなくなり、脱落しにくい。
【０００６】
径方向舌片と輪状部作成舌片は全体としてＴ字形状とするのが実際的である。
【０００７】
掛止部は、面ファスナ、ホチキス止め等を用いてもよいが、輪状部作成舌片の両端部に、該輪状部作成舌片の長手方向と直交する方向に向けて互いに反対方向から入れたスリットとすると、コストをアップさせることなく、輪状部形成舌片の両端部を結合して輪状に掛け止めることができる。
広告板部の形状は、その殆どがタイヤの側面に掛かる形状であれば任意形状にできる。
【０００８】
【発明の実施形態】
図１ないし図５は、本発明によるタイヤ側面装着広告プレート１０の第一の実施形態を示している。この広告プレート１０は、形状を維持できる硬さと折曲可能な柔軟さを合わせ持つ硬質紙またはプラスチックシートからなるもので、タイヤ側面に沿わせる中心の広告板部１１と、この広告板部１１からタイヤの直径方向に延びる一対のＴ字状舌片１２とを有している。各Ｔ字状舌片１２は、径方向舌片１３と、径方向舌片１３の先端部に直交する輪状部作成舌片１４とからなっており、輪状部作成舌片１４の長さ方向の両端部にはそれぞれ、掛止スリット（掛止部）１５が形成されている。一対の掛止スリット１５は、輪状部作成舌片１４の長さ方向と直交する方向に互いに反対方向に向けて入れられている。広告板部１１とＴ字状舌片１２との間には、径方向舌片１３を形成する空間部１６が存在している。
【０００９】
広告板部１１は、図３、図４、図５に示すように、Ｔ字状舌片１２以外の部分では、タイヤ２０のホイル装着開口（中心開口）２１より大きく、タイヤ２０の側面に沿う形状をしており、その表面に広告表示１１ａを有する。広告表示１１ａには、価格、性能その他を含ませることができる。
【００１０】
以上のタイヤ側面装着広告プレート１０は、使用に当たって、一対の掛止スリット１５を掛け止めて輪状部作成舌片１４を輪状にする。この状態で、図３、図４に示すように、径方向舌片１３の一部と輪状部作成舌片１４の全部をタイヤ２０のホイル装着開口２１内に挿入すると、空間部１６がタイヤ２０の中心開口２１のエッジ部に係合し、広告板部１１がタイヤ２０の側面に沿う。この状態では、輪状部作成舌片１４が輪状にされていて変形が抑制されるため、風等で広告プレート１０に力が加わっても脱落するおそれがない。
【００１１】
また、Ｔ字状舌片１２（径方向舌片１３）の長さを適当に定めることにより、大小の異径のタイヤにも共通仕様を用いることができる。また、広告板部１１が変形するので、広告板部１１の膨らみ（図４に最もよく表れている）の変化によって大小の異径タイヤに対応することができる。
【００１２】
図６、図７は、Ｔ字状舌片１２の径方向舌片１３を形成するための空間部１６の別の形状例（広告板部１１の別の形状例）を示している。このように、空間部１６（広告板部１１）の形状には自由度がある。
【００１３】
また以上の実施形態では、Ｔ字状舌片１２（径方向舌片１３と輪状部作成舌片１４）を広告板部１１の直径方向に一対設けたが、３個または４個とすることも可能である。
【００１４】
【発明の効果】
以上のように本発明によれば、タイヤに装着した状態で強い風に曝されても容易に脱落しないタイヤ側面装着広告プレートを得ることができる。
【図面の簡単な説明】
【図１】本発明によるタイヤ側面装着広告プレートの一実施形態を示す、平板状態の平面図である。
【図２】同平板状態の斜視図である。
【図３】図１、図２の平板状態の広告プレートを折り曲げてタイヤに装着した状態を示す斜視図である。
【図４】同断面図である。
【図５】同正面図である。
【図６】本発明によるタイヤ側面装着広告プレートの別の実施形態を示す、平板状態の平面図である。
【図７】さらに別の実施形態を示す平板状態の斜視図である。
【符号の説明】
１０  タイヤ側面装着広告プレート
１１  広告板部
１１ａ  広告表示
１２  Ｔ字状舌片
１３  径方向舌片
１４  輪状部作成舌片
１５  掛止スリット（掛止部）
１６  空間部
２０  タイヤ
２１  ホイル装着開口（中心開口）
【図１】
2005007903.tif 000003
【図２】
2005007903.tif 000004
【図３】
2005007903.tif 000005
【図４】
2005007903.tif 000006
【図５】
2005007903.tif 000007
【図６】
2005007903.tif 000008
【図７】
2005007903.tif 000009